(57)【要約】  第１端と、偏心器を有する反対側の第２端とを有する入力シャフトであって、ユーザからの入力に応答して回転可能な入力シャフトと、入力シャフトが回転すると、円運動を通してギア部材を移動させる偏心器を受ける中心軸方向ボアを有する、外歯を有するギア部材と、ギア部材の外歯の周りに位置する内歯を有するリングギアであって、ギア部材の円運動がリングギア内に収まるように、ギア部材より大きく、それによって、ギア部材が円運動を通して移動して、リングギアの中心軸を中心にリングギアを回転させると、外歯の少なくとも１つが内歯の少なくとも１つとかみ合い、駆動させるリングギアと、入力シャフトの一方向への回転の結果、楽器の弦を巻き付け、入力シャフトの反対方向への回転の結果、弦を緩めるようにリングギアによって駆動されるストリングポストとを含む、弦楽器用のチューニングマシン。【選択図】    図５
2020518854.tif 000002
【特許請求の範囲】
【請求項１】
弦楽器用のチューニングマシンであって、
第１端と、偏心器を有する反対側の第２端とを有する入力シャフトであって、ユーザからの入力に応答して回転可能な前記入力シャフトと、
前記偏心器を受ける中心軸方向ボアを有するギア部材であって、前記入力シャフトが回転すると、前記ギア部材は偏心円運動を通して移動する、外歯を有する前記ギア部材と、
前記ギア部材の前記外歯の周りに位置する内歯を有するリングギアであって、前記ギア部材の前記偏心円運動が前記リングギア内に収まるように、前記ギア部材より大きいことによって、前記ギア部材が、前記ギア部材の偏心円運動を通して移動して、前記リングギアの中心軸を中心に前記リングギアを回転させると、前記外歯の少なくとも１つが前記内歯の少なくとも１つとかみ合い、前記内歯の少なくとも１つを駆動する、前記リングギアと、
前記入力シャフトの一方向への回転の結果、前記楽器の弦を巻き付けるように、また、前記入力シャフトの反対方向への回転の結果、前記弦を緩めるように、前記リングギアによって駆動されるストリングポストと、
を含む、前記チューニングマシン。
【請求項２】
前記ギア部材に干渉して、前記ギア部材の中心軸を中心とした前記ギア部材の回転を制限する制限機構をさらに含む、請求項１に記載の装置。
【請求項３】
前記外歯は、凸状であり、前記内歯間の凹状の溝と補完的にかみ合うことができる、請求項１、２のいずれか１項に記載の装置。
【請求項４】
前記ギア部材は、前記リングギアの前記内歯より少なくとも１つ少ない外歯を有する、請求項１〜３のいずれか１項に記載の装置。
【請求項５】
前記ギア部材は、前記リングギアの前記内歯より１つまたは２つ少ない外歯を有する、請求項１〜３のいずれか１項に記載の装置。
【請求項６】
前記ストリングポストは、前記リングギアの前記中心軸と同軸上で前記リングギアに接続される、請求項１〜５のいずれか１項に記載の装置。
【請求項７】
前記弦楽器に取り付けるためのハウジングをさらに含み、前記ハウジングは、ボアと、前記ボア内で回転するように軸支された前記入力シャフトとを画定し、前記ハウジングは、前記ギア部材と前記リングギアを収容する空洞をさらに画定する、請求項２〜６のいずれか１項に記載の装置。
【請求項８】
前記ハウジングは、前記弦楽器に取り付けるための底面を有するベース部分を含み、前記空洞は、前記ベース部分に画定されて、前記底面に開口し、前記ハウジングは、前記空洞の範囲を定める前記底面の反対側の上壁をさらに含み、前記ボアは、前記上壁に画定される、請求項７に記載の装置。
【請求項９】
前記制限機構は、前記上壁に画定された空隙と、前記空隙内を移動する前記ギア部材上の突起とを含み、前記空隙は、前記ギア部材が前記偏心円運動はできるが、前記ギア部材の中心軸を中心とした回転はできない動きの範囲に、前記突起の前記移動を制約する、請求項８に記載の装置。
【請求項１０】
前記制限機構は、前記上壁に画定され、前記ボアと前記ギア部材の突起との周りに配置された空隙を含み、各突起は、隣接する空隙内を移動し、前記空隙は、前記ギア部材が前記偏心円運動はできるが、前記ギア部材の中心軸を中心とした回転はできない動きの範囲に、前記突起の前記移動を制約する、請求項８に記載の装置。
【請求項１１】
前記入力シャフトの前記第１端に接続されて、ユーザが前記入力シャフトに回転を与えるのを容易にするハンドルをさらに含む、請求項１〜９のいずれか１項に記載の装置。
【発明の詳細な説明】
【技術分野】
【０００１】
本発明は、弦楽器をチューニングするためのマシンヘッドまたはチューニングマシンに関し、特に、ウクレレ、ギター、バンジョー、または、同様の弦楽器用のチューニングマシンに関する。
【背景技術】
【０００２】
弦楽器は、典型的に、固定アンカーを各弦の一方の端に備え、ユーザが弦に選択した張力量を加えるのを可能にする機構を他方の端に備える。弦が振動する周波数は、幾つかの他のパラメータのうちで、弦の振動長と張力とに大きく依存する。弦の張力調整に使用されるギア式機械機構は、チューニングマシンまたはマシンヘッドと呼ばれることが多い。チューニングマシンは、当分野で周知であり、ギター、バンジョー等で使用される典型的なチューニングマシンは、ハウジングを通して延びるウォームシャフトの端に固定されたチューニングハンドルを含む。ウォームホイールが、ハウジング内でウォームシャフトとかみ合い、円柱形ポストが、ウォームホイールに接続されて、ウォームホイールの回転軸と整列する。円柱形ポストは、楽器のヘッドストックの孔を通って、弦と同じ側まで延び、その軸が弦とほぼ垂直になるようにアライメントされる。操作中、ハンドル（従って、ウォームシャフト）が回転されると、ハンドルは、ウォームホイール、結果として、円柱形ポストを回転させる。これによって、円柱形ポスト内に画定されたギターの弦挿入孔を通して挿入されたギターの弦は、円柱形ポストに巻き付けられる、または、円柱形ポストから緩められることによって、弦の張力を増減させて、弦をチューニングする。
【０００３】
様々な設計の多くの市販のチューニングマシンがあるが、大抵は、上記共通の特徴及び機能を有し、大抵は、主に金属から製造される。それにもかかわらず、ヘッドストックにあまり重さを加えることなく、例えば、ウクレレ等の小さい弦楽器で使用でき、且つ、低価格で経済的に量産できる、簡単、軽量、費用対効果の高いチューニングマシンに対するニーズがある。
【発明の概要】
【０００４】
よって、ある実施形態において、本発明は、弦楽器用のチューニングマシンを提供する。チューニングマシンは、第１端と、偏心器を有する反対側の第２端とを有する入力シャフトであって、ユーザからの入力に応答して回転可能な入力シャフトと、入力シャフトが回転すると、円運動を通してギア部材を動かす偏心器を受ける中心軸方向ボアを有するギア部材であって、外歯を有するギア部材と、ギア部材の外歯の周りに位置する内歯を有するリングギアであって、ギア部材の円運動をリングギア内に収めるようにギア部材より大きく、それによって、ギア部材がギア部材の円運動を通して動いて、リングギアの中心軸を中心にリングギアを回転させると、外歯の少なくとも１つが内歯の少なくとも１つとかみ合って、内歯の少なくとも１つを駆動するリングギアと、入力シャフトの一方向への回転の結果、楽器の弦を巻き付けるように、また、入力シャフトの反対方向への回転の結果、弦を緩めるように、リングギアによって駆動されるストリングポストとを含む。
【０００５】
ある実施形態において、装置は、ギア部材に干渉してギア部材の中心軸を中心としたギア部材の回転を制限する制限機構をさらに含んでよい。
【０００６】
ある実施形態において、外歯は、凸状であってよく、内歯と内歯の間の補完的な凹状の溝とかみ合うことができてよい。
【０００７】
ある実施形態において、ギア部材は、リングギアの内歯より少なくとも１つ少ない外歯を有してよい。
【０００８】
ある実施形態において、ギア部材は、リングギアの内歯より１つまたは２つ少ない外歯を有してよい。
【０００９】
ある実施形態において、ストリングポストは、リングギアの中心軸と同軸上でリングギアに接続されてよい。
【００１０】
ある実施形態において、装置は、弦楽器に取り付けるためのハウジングをさらに含んでよく、ハウジングは、ボアを画定し、入力シャフトは、ボア内で回転するために軸支され、ハウジングは、ギア部材及びリングギアを収容する空洞をさらに画定する。
【００１１】
ある実施形態において、ハウジングは、弦楽器に取り付けるための底面を有するベース部分を含んでよく、空洞が、ベース部分に画定されて、底面の方に開いてよく、ハウジングは、さらに、空洞の範囲を定める上壁を底面の反対側に含んでよく、ボアが、上壁に画定される。
【００１２】
ある実施形態において、制限機構は、上壁に画定された空隙と、ギア部材上に空隙内を移動する突起とを含んでよく、空隙は、ギア部材が円運動はできるが、ギア部材の中心軸を中心とした回転はできない動きの範囲に突起の移動を制約する。
【００１３】
ある実施形態において、制限機構は、上壁に画定され、ギア部材のボア及び突起の周りに配置された空隙を含んでよく、各突起は、隣接する空隙内で移動し、空隙は、ギア部材が円運動はできるが、ギア部材の中心軸を中心とした回転はできない動きの範囲に突起の移動を制約する。
【００１４】
ある実施形態において、装置は、さらに、入力シャフトの第１端に接続されて、ユーザが入力シャフトに回転を与えるのを容易にするハンドルを含んでよい。
【００１５】
ある実施形態において、本発明は、弦楽器用のチューニングマシンを提供する。チューニングマシンは、入力シャフトに接続されたハンドルを含み、入力シャフトは、ハンドルと反対側の端に偏心器を有し、偏心器は、ディスクを偏心円状に駆動し、ディスクが、偏心円で移動すると、インターナルリングギアを駆動する。インターナルリングギアは、ストリングポストに接続された出力シャフトに接続され、出力シャフトが回転すると、弦は、ストリングポスト上に巻き付けられる、または、ストリングポストから緩められる。
【００１６】
本発明の他の態様及び特徴は、発明の実施形態の以下の記載を添付図面及び請求項と共に検討すると、当業者には明らかとなろう。
【００１７】
図面は、発明の実施形態を、例示のためにのみ示している。
【図面の簡単な説明】
【００１８】
【図１】本発明の実施形態による、チューニングマシンの斜視図である。
【図２】図１のチューニングマシンの上面図である。
【図３】図１のチューニングマシンの側面図である。
【図４】図１のチューニングマシンの正面図である。
【図５】図１のチューニングマシンの上から見た分解斜視図である。
【図６】図１のチューニングマシンの下から見た分解斜視図である。
【図７】図１のチューニングマシンのインターナルギア部分内のディスクの一連の上部平面図である。
【図８】図１のチューニングマシンのハウジング内のディスクの一連の上部平面図である。
【発明を実施するための形態】
【００１９】
発明の原理の理解を容易にするために、図面に示した例示の実施形態を参照し、具体的な言葉を使用して、その実施形態を記載する。しかしながら、これによって、発明の範囲を制限する意図はないことは理解されよう。当業者及び本開示の所有者が思い付く、本明細書に記載の発明の特徴に対する変更及び更なる修正はいずれも、また、本明細書に示す発明の原理の追加の適用はいずれも、発明の範囲内とみなされる。
【００２０】
図１〜図８を参照すると、例えば、ギター、バンジョー、ウクレレ等の弦楽器のヘッドストックに取り付けることができる、本発明の第１の実施形態によるチューニングマシンまたはチューニングマシン１００が示されている。チューニングマシン１００は、ハウジング１０２、入力シャフト１０４、ハンドル１０６、ギア部材もしくはディスク１０８、及び、インターナルリングギア部材１１０を含む。
【００２１】
ハウジング１０２は、弦楽器のヘッドストックの平らな面に当接するように適合された平らな面１１６を有するベース部分１１４を含む。ベース部分１１４は、ハウジング１０２をヘッドストックに取り付けるためのネジ等の締結具を受ける１つまたは複数の取り付け穴１１８を含む。ハウジング１０２は、円周方向の側壁１２２と上壁１２４を有する隆起部分１２０をさらに含み、側壁１２２と上壁１２４は、一緒になって、円形の空洞１２６等の内部の空洞を画定する。上壁１２４は、中央ボア１２８と１つまたは複数の台形の開口部１３０とを含む。
【００２２】
入力シャフト１０４は、第１端１３８と偏心器１３４を備える反対側の第２端１３６とを有する。偏心器は、その中心が、回転軸の中心からオフセットされて、回転軸に取り付けられた円形のディスクまたはピンであることを読者は理解されたい。第１端１３８において、入力シャフト１０４は、ハンドル１０６を通るほぼ直方体の軸のボア１４０内に受けられる形状であることによって、ハンドル１０６に接続され、その結果、ハンドル１０６と、入力シャフト１０４の端部１３８とは、キー嵌合を有するということができる。入力シャフトの端１３６は、ハウジング１０２の中央ボア１２８内で回転するように軸支され、偏心器１３４が空洞１２６内に延びる。従って、ハンドル１０６を回すと、空洞１２６内で偏心器１３４が回転する。このようにして、入力シャフトは、ユーザからの入力に応答して回転可能である。しかしながら、入力シャフトを回転させる他のユーザ入力機構が、今後、当業者に明らかになろう。
【００２３】
チューニングマシン１００は、リングギアをさらに含む。図に示す実施形態において、リングギアは、リングギア部材１１０の一部であり、リングギア部材は、ハウジング１０２の内部の空洞１２６内に受け入れられるように構成された形状のディスク部分１５０と、ディスク部分に垂直な出力シャフト１５２とを含み、出力シャフト１５２は、ストリングポストとして機能し、楽器の弦の端を巻き付ける弦巻き付け部分１５４を含む。従って、ストリングポストは、リングギアによって駆動される、図示の実施形態においては、リングギアに直接接続されることによって駆動される。しかしながら、ある実施形態においては、ストリングポストは、リングギアによって駆動されるように、例えば、中間ギアによって等、リングギアに間接的に結合されてよい。
【００２４】
ディスク部分１５０は、円周方向のインターナルギア部分１６０と内部の平らな面１６２とを含むギア空洞１５８を上面に画定する。インターナルギア部分１６０は、中心１６６を中心に放射状に位置する複数の半円形の溝１６４を含み、中心１６６は、出力シャフト１５２の長手方向軸と一致する。半円形の溝１６４間の移行ゾーンまたは歯１６８は、丸くされている。よって、ギア空洞１５８を有するディスク部分１５０、溝１６４及び歯１６８を有するインターナルギア部分１６０は、内歯を有するリングギアの実施形態である。
【００２５】
チューニングマシン１００を楽器のヘッドストックに取り付けると、リングギア部材１１０の出力シャフト１５２は、当分野で一般的なように、ヘッドストックの開口部を通り、ディスク部分１５０は、ハウジングがヘッドストックに固定されると、ハウジング１０２の内部の空洞１２６内に受け入れられ、閉じ込められて、それによって、ディスク部分１５０は、内部の空洞１２６内で平面運動で回転できる。
【００２６】
ディスク１０８等のギア部材は、中心軸方向ボア１７４を中心に放射状に位置する複数の半円形の歯１７２を含む円周方向の外ギア部分１７０を有する縁を画定する。隣り合う歯と歯の間の移行ゾーン１７６は、凹状である。ディスク１０８は、リングギア部材１１０のディスク部分１５０のインターナルギア部分１６０内に嵌まるように構成される。ディスクの歯１７２は、図７に示すように、インターナルギア部分１６０の半円形の溝１６４とかみ合う大きさ及び形状である。よって、ギア部材の偏心円運動がリングギア内に収まるようにリングギアはギア部材より大きく、それによって、ギア部材が偏心円運動を通して移動して、リングギアをリングギアの中心軸を中心に回転させる時、ギア部材の外歯の少なくとも１つがリングギアの内歯の少なくとも１つとかみ合い、リングギアの内歯の少なくとも１つを駆動する。
【００２７】
ディスク１０８の歯１７２の数は、ディスク部分１５０の半円形の溝１６４の数より少なくとも１つ少ない、また、２つ少なくてもよい。本明細書で説明するように、半円形の溝１６４の数は、チューニングマシン１００のギア比を決定する。図に示す実施形態において、リングギア部材１１０は、６つの半円形の溝を有し、ディスク１０８は、５つの半円形の歯１７２を有する。従って、ギア部材は、リングギアの内歯より少なくとも１つ少ない外歯を有する。ギア部材は、リングギアの内歯より１つまたは２つ少ない外歯を有するのが好ましい。ギア部材は、リングギアの内歯より１つ少ない外歯を有するのが好ましい。
【００２８】
アセンブルされたチューニングマシン１００において、ディスク１０８は、リングギア部材１１０のディスク部分１５０のギア空洞１５８内に受け入れられ、ディスク部分１５０は、ハウジング１０２の内部の空洞１２６内に受け入れられ、ハウジング１０２は、弦楽器のヘッドストック上に取り付けられる。ディスク１０８の中央ボア１７４は、入力シャフト１０４の偏心器１３４を受け、入力シャフト１０４は、端１３６でボア１２８内で回転するように軸支され、端１３８でハンドル１０６に接続される。従って、アセンブルされたチューニングマシン１００において、ハンドル１０６を介した入力シャフト１０４の回転は、ディスク１０８をギア空洞１５８内で平面の偏心円状に移動させる。
【００２９】
チューニングマシン１００は、ギア部材に干渉して、ギア部材の中心軸を中心としたギア部材の回転を制限する制限機構をさらに含んでよい。図に示す実施形態においては、制限機構は、ハウジング１０２の上壁１２４の内側に面するディスク１０８の表面１８０に１つまたは複数の突起またはピン１７８を含み、ピン１７８は、ディスク１０８の偏心運動で画定される円運動の範囲まで、開口内で横方向に自由に動くように、空隙または開口１３０内に受け入れられるように構成されるが、ピン１７８は、開口部１３０の壁によって制約されて、ディスク１０８は、その中心軸を中心に完全には回転できない（図８で最もよく分かる）。ディスク１０８は、従って、ハウジングのディスク部分に対してその角度関係を維持しながら、ディスク部分に対して円形の平面運動を行う。インターナルリングギア部材、結果として、出力シャフトは、回転させられて、ディスクに対するその角度関係が変わる。ディスク１０８の回転を妨げる制限機構を有し、それによって、リングギア、結果として、ストリングポストが、ユーザにとってより自然なチューニング体験となるように、入力シャフトと同じ方向に回転するのが好ましい。
【００３０】
図７を参照すると、ディスク１０８が入力シャフト１０４の偏心器１３４によって駆動されて、ディスク１０８の偏心円運動を通してギア空洞１５８内の幾つかの位置にあるディスク１０８が示されている。簡単にするために、ギア空洞１５８内に受け入れられた、リングギア部材１１０のディスク部分１５０の上部とディスク１０８とのみを示す。ディスク１０８は、ディスクの中央ボア１７４を介して偏心器１３４によって駆動されて、これによりディスクの中心は円運動をするが、上記のように、ディスクの回転が、ハウジングの開口１３０内を移動するピン１７８の動きの範囲によって制限されるので、ディスク自体は、あまり大きくは回転しない。歯１７２上のピン１７８の１つを記号＊を用いて指定して、そのピンが同じ領域にとどまり、回転しないことを表すことによって、これを図に示している。ディスクが、ディスクの円形の動きの範囲を移動すると、半円形の歯１７２の１つまたは複数は、インターナルギア部分１６０の隣接する半円形の溝１６４に係合し、インターナルギア部分（従って、出力シャフト１５２）をディスクの円運動の方向に回転の弧を通して回転させる。ディスク１０８は、その円運動を通して動き続けるので、様々な歯１７２が、隣接する半円形の溝１６４に係合したり、離れたりして、ディスクの半円形の各歯とインターナルギア部分の半円形の各溝とが連続して係合することによって、インターナルギア部分１６０が回転の弧を通して回転する。入力シャフトの回転を逆にすると、リングギアの回転が逆になり、従って、ストリングポストの回転も逆になる。従って、ストリングポストは、入力シャフトの一方向への回転の結果、楽器の弦を巻き付けることができ、入力シャフトの反対方向への回転の結果、弦を緩めることができるように、リングギアによって駆動される。
【００３１】
完全な円運動を通してディスク１０８を移動させると、インターナルギア部分１６０が回転の弧を通して回転し、回転の値は、ギア比に依存し、インターナルギアの溝１６４の数によって決まる。例えば、インターナルギアが６つの溝１６４を有する図に示す実施形態において、ディスクの完全な円運動から生じるインターナルギア１６０の回転は、インターナルギアの一回転の１／６となる。よって、ギア比は、このような実施形態においては、６：１となり、インターナルギア部分１６０、結果として、楽器の弦が巻き付けられている出力シャフト１５２を完全に一回転させるためには、高速入力シャフトを完全に６回転させる必要があることを意味する。チューニングマシン１００のギア比は、インターナルギアの溝１６４の数を変更することによって選択されてよい。例えば、ギア比８：１は、インターナルギア部分１６０に８つの半円形の溝１６４を備え、ディスクに７つの半円形の歯１７２を備えることによって取得されてよい。同様に、ギア比１２：１は、ギア部分に１２の半円形の溝と、ディスクに１１の半円形の歯を有することによって取得されてよい。よって、ギア比ｎ：１は、ギア部分の半円形の溝の数ｎと、ディスクの半円形の歯ｎ−１とを有することによって取得されてよい。ディスクの歯１７２の数は、インターナルギア部材の溝１６４の数より３以上少なくならないことが好ましい。インターナルギアの溝よりディスクの歯が２つ少ないことによる影響は、ギア比が減少することである。そうすると、ディスクの１サイクル毎にインターナルリングギア１６０が溝１つ進むのではなく、インターナルリングギアが、２つの歯進む。歯の相互作用に対する影響は、ディスクとリングギアの間の動きを非常に滑らかにし、これは、駆動効率を低下させやすく、その損失は、ディスクとリングギア間の摩擦の増加によって補われる。実際には、小さいギア比駆動において２つ歯を少なくしたディスクを設計することは、大きな直径の違いによる歯のかみ合いの問題と、歯が係合する毎に出力駆動の各変位が大きくなるという問題があり、難しい。
【００３２】
一般に、本発明のチューニングマシン１００のギア機構は、サイクロイド駆動機構と類似ているが、サイクロイド駆動機構においては、ディスク１０８は、回転しないようにされ、インターナルギア１６０またはリングギアは、自由に回転する。よって、ディスク１０８の偏心円運動は、インターナルギア部分１６０を回転させ、出力シャフトまたはストリングポストを駆動する。ディスクが一回転でき、リングギアが固定された典型的なサイクロイド駆動機構においては、生じる出力シャフトの回転は、入力シャフトの回転とは逆である。これは、本発明のチューニングマシンのある実施形態において機能するが、ストリングポストがハンドルと同じ方向に回転する先行技術のチューニングマシンに慣れた弦楽器の演奏者の多くにとっては、使いにくい。従って、本発明のチューニングマシンの図に示す実施形態を用いると、ハウジング１０２の開口部１３０で、ピン１７２という制限機構を用いて、ディスク１０８の中心軸を中心としたディスク１０８の回転を妨げることによって、結果として生じる出力シャフトの回転は、ハンドル１０６の回転と同じ方向であり、ユーザが、チューニングマシンの弦の緊張する方向に、または、追加の修正的ギアリングのために、再度慣れることが不必要になる。どちらのギア構成においても、ディスクの歯とインターナルギアの歯（及び、溝）の輪郭を開発する方法は、当分野で既知のサイクロイドギアの歯の設計の原理に従う。
【００３３】
本発明のチューニングマシンの有利な側面は、部品の簡単さによって、鋳造技術、射出成形技術、３Ｄ印刷技術、または、簡単な機械加工等の方法によって、プラスチック、金属、または、その両方から、経済的に大量生産するのに非常に適しているということである。本発明のギア部分は、寸法のばらつきが大きくてもよく、その結果、機能を損なわずに寸法の正確さが低下してもよい、これは、経済的な大量生産方法を用いて、それほど厳しくない寸法仕様で部品を製造することを可能にする。例えば、本発明のチューニングマシンの部品は、プラスチックを射出成形することによって作られてよく、この結果、小さい弦楽器（ウクレレ等）、または、典型的に、大きいチューニングマシンを有する弦楽器（バスギター等）で使用できる軽量で費用対効果の高いチューニングマシンとなり、比較される先行技術の金属製のチューニングマシンと比べて、大幅に重量が軽減される。ある実施形態においては、チューニングマシンは、構造を強化するために、例えば、出力シャフト／ストリングポストの金属ロッドコア等、金属部分を含んでよく、これらは、プラスチックの射出成形工程に容易に組み込むことができる。さらに、有利なことには、本発明のギア機構は、出力シャフトによって駆動できない。よって、出力シャフトに対する弦の張力によって生じる回転力が、ギア機構を逆にして弦を緩めることはない。ギア機構は、ハンドルまたは他の手段によって入力シャフトを回転させることによってのみ駆動されてよい。本発明の他の利点は、ギア機構のバックラッシュを低減し得ることであり、ギア機構の単純さのために、これらの種類の弦楽器用のチューニングマシンにとってはかなり低い、３：１等のギア比を含む、高いギア比から低いギア比まで様々なギア比のチューニングマシンを設計することが、非常に簡単である。
【００３４】
上記記載及び図は、本発明の好ましいまたは代替の実施形態を構成するが、多くの変形が、発明の範囲を逸脱することなく行われてよいことは理解されよう。従って、本明細書に記載し図示した実施形態は、添付請求項に従って解釈される発明を制限するものとみなすべきではない。
【図１】
2020518854.tif 000003
【図２】
2020518854.tif 000004
【図３】
2020518854.tif 000005
【図４】
2020518854.tif 000006
【図５】
2020518854.tif 000007
【図６】
2020518854.tif 000008
【図７】
2020518854.tif 000009
【図８】
2020518854.tif 000010
【国際調査報告】
2020518854.tif 000011
2020518854.tif 000012